(57)【要約】      （修正有）【課題】細い線材でステレオのイヤホンアンテナを形成し、軽量化、利便性の向上を図る。【解決手段】接続ブロック７０において、音声信号周波数帯域では低インピーダンスで、高周波信号周波数帯域では高インピーダンスとなる高周波チョーク２４を介して同軸ケーブル６０のシールド線６３がイヤホンケーブル８１，８２の２本の接地線８１Ｂ，８２Ｂに接続され、同軸ケーブル６０の中心導体６１Ａ，６１Ｂが上記イヤホンケーブル８１，８２の２本の信号線８１Ａ，８２Ａに接続される。音声信号周波数領域では高インピーダンスで高周波信号周波数領域では低インピーダンスのコンデンサ１２、２５を介して信号線８１Ａが他方の信号線８２Ａ及び接地線８１Ｂ，８２Ｂに接続され、信号線８１Ａ，８２Ａ及びグランド線８１Ｂ，８２Ｂと同軸ケーブル６０のシールド線６３とで高周波的にはアンテナを構成する。【選択図】図５
2006108942.tif 000002
【特許請求の範囲】
【請求項１】
音声信号と高周波信号の重畳回路を備えた携帯型無線機側に接続されるイヤホンアンテナであって、
ステレオイヤホンに音声信号を供給する２本の絶縁被覆された信号線からなるイヤホンケーブルと、
それぞれ絶縁された少なくとも２本の線材からなる中心導体を絶縁体で被覆し、さらに、シールド線で被覆してなる同軸ケーブルと、
上記シールド線の他端を上記イヤホンケーブルにするための接続ブロックとを備え、
上記接続ブロックにおいて、音声信号の周波数帯域では低インピーダンスで接続となり、高周波信号の周波数帯域においては高インピーダンスとなって絶縁とみなされる高周波チョークを介して上記同軸ケーブルのシールド線が上記イヤホンケーブルの２本の接地線に接続され、上記同軸ケーブルの中心導体を構成する少なくともそれぞれ絶縁された少なくとも２本の線材が上記イヤホンケーブルの２本の信号線に接続されるとともに、音声信号の周波数領域ではハイインピーダンスで高周波信号の周波数領域ではローインピーダンスとなるコンデンサをそれぞれ介して上記イヤホンケーブルの２本の信号線の一方の信号線が他方の信号線及び上記接地線に接続されてなり、
上記イヤホンケーブルの信号線及びグランド線と上記同軸ケーブルのシールド線とで高周波的にはアンテナを構成したことを特徴とするイヤホンアンテナ。
【請求項２】
ステレオイヤホンに音声信号を供給する２本の絶縁被覆された信号線からなるイヤホンケーブルと、それぞれ絶縁された少なくとも２本の線材からなる中心導体を絶縁体で被覆し、さらに、シールド線で被覆してなる同軸ケーブルと、上記シールド線の他端を上記イヤホンケーブルにするための接続ブロックとを備え、上記接続ブロックにおいて、音声信号の周波数帯域では低インピーダンスで接続となり、高周波信号の周波数帯域においては高インピーダンスとなって絶縁とみなされる高周波チョークを介して上記同軸ケーブルのシールド線が上記イヤホンケーブルの２本の接地線に接続され、上記同軸ケーブルの中心導体を構成する少なくともそれぞれ絶縁された少なくとも２本の線材が上記イヤホンケーブルの２本の信号線に接続されるとともに、音声信号の周波数領域ではハイインピーダンスで高周波信号の周波数領域ではローインピーダンスとなるコンデンサをそれぞれ介して上記イヤホンケーブルの２本の信号線の一方の信号線が他方の信号線及び上記接地線に接続されてなり、上記イヤホンケーブルの信号線及びグランド線と上記同軸ケーブルのシールド線とで高周波的にはアンテナを構成したイヤホンアンテナと、
チューナと音声信号出力部に接続された音声信号と高周波信号の重畳回路を備えた無線機本体とを備え、
上記イヤホンアンテナが上記無線機本体に備えられた重畳回路に接続される特徴とする携帯型無線機。
【発明の詳細な説明】
【技術分野】
【０００１】
本発明は、同軸ケーブルを介して高周波信号と低周波信号が混在して伝送されるイヤホンアンテナ及び携帯型無線機に関する。
【背景技術】
【０００２】
従来より、人体に装着して使用されるページャ、ラジオ受信機や液晶テレビジョン受像機などの携帯型無線機において、ロッドアンテナやイヤホンへ音声信号を伝送する信号線をアンテナとして利用するイヤホンアンテナが使用されている（例えば、特許文献１参照）。
【０００３】
【特許文献１】特開２００３−１６３５２９号公報
【発明の開示】
【発明が解決しようとする課題】
【０００４】
通常、高周波信号は同軸ケーブルを介して伝送され、イヤホンアンテナでは、高周波信号伝送用の同軸ケーブルとステレオ２チャンネルの音声信号伝送用の２本の信号線を必要とするので、比較的に太いケーブルとなってしまい、柔軟性に欠け、取り扱い難いという問題点があった。
【０００５】
そこで、本発明の目的は、上述の如き従来の問題点に鑑み、細い線材でステレオのイヤホンアンテナを形成し、軽量化、利便性の向上を図ることにある。
【０００６】
本発明の更に他の目的、本発明によって得られる具体的な利点は、以下に説明される実施の形態の説明から一層明らかにされる。
【課題を解決するための手段】
【０００７】
本発明は、音声信号と高周波信号の重畳回路を備えた携帯型無線機側に接続されるイヤホンアンテナであって、ステレオイヤホンに音声信号を供給する２本の絶縁被覆された信号線からなるイヤホンケーブルと、それぞれ絶縁された少なくとも２本の線材からなる中心導体を絶縁体で被覆し、さらに、シールド線で被覆してなる同軸ケーブルと、上記シールド線の他端を上記イヤホンケーブルにするための接続ブロックとを備え、上記接続ブロックにおいて、音声信号の周波数帯域では低インピーダンスで接続となり、高周波信号の周波数帯域においては高インピーダンスとなって絶縁とみなされる高周波チョークを介して上記同軸ケーブルのシールド線が上記イヤホンケーブルの２本の接地線に接続され、上記同軸ケーブルの中心導体を構成する少なくともそれぞれ絶縁された少なくとも２本の線材が上記イヤホンケーブルの２本の信号線に接続されるとともに、音声信号の周波数領域ではハイインピーダンスで高周波信号の周波数領域ではローインピーダンスとなるコンデンサをそれぞれ介して上記イヤホンケーブルの２本の信号線の一方の信号線が他方の信号線及び上記接地線に接続されてなり、上記イヤホンケーブルの信号線及びグランド線と上記同軸ケーブルのシールド線とで高周波的にはアンテナを構成したことを特徴とする。
【０００８】
また、本発明に係る携帯型無線機は、ステレオイヤホンに音声信号を供給する２本の絶縁被覆された信号線からなるイヤホンケーブルと、それぞれ絶縁された少なくとも２本の線材からなる中心導体を絶縁体で被覆し、さらに、シールド線で被覆してなる同軸ケーブルと、上記シールド線の他端を上記イヤホンケーブルにするための接続ブロックとを備え、上記接続ブロックにおいて、音声信号の周波数帯域では低インピーダンスで接続となり、高周波信号の周波数帯域においては高インピーダンスとなって絶縁とみなされる高周波チョークを介して上記同軸ケーブルのシールド線が上記イヤホンケーブルの２本の接地線に接続され、上記同軸ケーブルの中心導体を構成する少なくともそれぞれ絶縁された少なくとも２本の線材が上記イヤホンケーブルの２本の信号線に接続されるとともに、音声信号の周波数領域ではハイインピーダンスで高周波信号の周波数領域ではローインピーダンスとなるコンデンサをそれぞれ介して上記イヤホンケーブルの２本の信号線の一方の信号線が他方の信号線及び上記接地線に接続されてなり、上記イヤホンケーブルの信号線及びグランド線と上記同軸ケーブルのシールド線とで高周波的にはアンテナを構成したイヤホンアンテナと、チューナと音声信号出力部に接続された音声信号と高周波信号の重畳回路を備えた無線機本体とを備え、上記イヤホンアンテナが上記無線機本体に備えられた重畳回路に接続される特徴とする。
【発明の効果】
【０００９】
本発明によれば、基本的に同軸ケーブルと通常のイヤホンだけイヤホンアンテナを構成するので、安価に作成可能であり、また、同軸ケーブルのみのため、細い線材で、ステレオのイヤホンアンテナを形成でき、軽量化、利便性の向上を図ることができる。
【発明を実施するための最良の形態】
【００１０】
以下、本発明の実施の形態について、図面を参照して詳細に説明する。なお、本発明は以下の例に限定されるものではなく、本発明の要旨を逸脱しない範囲で、任意に変更可能であることは言うまでもない。
【００１１】
本発明は、例えば図１に示すような構成の液晶テレビジョン受像機１００に適用される。
【００１２】
この図１に示す液晶テレビジョン受像機１００は、ピンジャックコネクタ１１０を介して受像器本体１２０に接続されるイヤホンアンテナ５０を備え、イヤホンアンテナ５０により受信されるテレビジョン信号を受信機本体１２０に送り、受信機本体１２０から音声信号をイヤホンアンテナ５０を介してステレオイヤホン８０Ｌ，８０Ｒに送るようになっている。
【００１３】
イヤホンアンテナ５０は、一端が上記ピンジャックコネクタ１１０を介して上記受像機本体１２０に接続される同軸ケーブル６０と、この同軸ケーブル６０の他端に接続された接続ブロック７０と、この接続ブロック７０に２本のイヤホンケーブル８１，８２を介して接続されたステレオイヤホン８０Ｌ，８０Ｒからなる。
【００１４】
受像器本体１２０には、図２に示すように、チューナ部１２１、このチューナ部１２１に接続された中間周波信号処理部１２２、この中間周波信号処理部１２２に接続された映像信号処理部１２３、上記映像信号処理部１２３に接続された液晶表示部１２４、上記ピンジャックコネクタ１１０を構成するジャック１１０Ｂが設けられている。
【００１５】
この液晶テレビジョン受像機１００において、上記受像器本体１２０にイヤホンアンテナ５０を接続する線路を構成する同軸ケーブル６０は、図３に示すように、それぞれ絶縁された少なくとも２本の線材（信号線）６１Ａ，６１Ｂからなる中心導体６１を絶縁体６２で被覆し、さらに、シールド線６３で被覆してなる。
【００１６】
このような構造の同軸ケーブル６０において、中心導体６１を構成する複数の線材は、高周波的には１本の中心導体６１として機能し、低周波的には独立した複数ここでは２本の信号線６１Ａ，６１Ｂとして機能する。
【００１７】
上記同軸ケーブル６０には、例えば、図４の（Ａ），（Ｂ），（Ｃ），（Ｄ）に示すように、単線の被覆線６１Ａ１，６１Ｂ１又は撚線の被覆線６１Ａ２，６１Ｂ２を中心導体６１として複数本配置した構造、単線の被覆線又は撚線の被覆線を複数本撚り合わせた所謂ツイストペア線６１Ａ３，６１Ｂ３又はリッツ線６１Ａ４，６１Ｂ４を中心導体６１として用いた構造のものが用いられる。
【００１８】
そして、この同軸ケーブル６０は、図５に示すように、一端側に上記ピンプラグコネクタ１１０を構成するプラグ１１０Ａが接続され、他端側に接続ブロック７０が接続されている。
【００１９】
このイヤホンアンテナ５０は、上記接続ブロック７０において、上記同軸ケーブル６０の中心導体６１の一方の信号線６１Ａを上記イヤホンケーブル８１の一方の信号線８１Ａに直接接続し、また、他方の信号線６１Ｂを上記イヤホンケーブル８２の一方の信号線８２Ａに直接接続するとともに上記イヤホンケーブル８１、８２の他方の信号線８１Ｂ，８２Ｂ同士を信号線８３に接続し、その接続した信号線８３を音声信号の周波数帯域ではハイインピーダンスで高周波信号の周波数帯域ではローインピーダンスとなるコンデンサ１２を介して、上記信号線８１Ａ又は信号線８２Ａのどちらか一方、この例では信号線８１Ａに接続し、上記同軸ケーブル６０のシールド線６３を上記信号線８３に音声信号の周波数帯域ではローインピーダンスで高周波信号の周波数帯域ではハイインピーダンスとなる高周波チョーク２４を介して接続してなる。また、同軸ケーブル６０の中心導体６１の絶縁された信号線６１Ａ、６１Ｂは、上記接続ブロック７０上で、音声信号の周波数帯域ではハイインピーダンスで高周波信号の周波数帯域ではローインピーダンスとなるコンデンサ２５を介して、接続されている。
【００２０】
そして、このイヤホンアンテナ５０は、ピンジャックコネクタ１１０を介して無線機本体１２０に接続される。
【００２１】
無線機本体１２０側では、音声信号の出力ライン１１１Ａ，１１１Ｂがフェライトビーズを用いた高周波チョーク１１２Ａ，１１２Ｂを介して高周波信号の伝送ライン１１３Ａ，１１３Ｂに接続されており、ＲＦ出力は、音声信号の周波数帯域ではハイインピーダンスで高周波信号の周波数帯域ではローインピーダンスとなるコンデンサ１１４を介して伝送ライン１１３Ａ又は出力ライン１１３Ｂから出力され、その伝送ラインとしては伝送ライン１１３Ａ又は伝送ライン１１３Ｂのどちらでもいいが、この例では伝送ライン１１３Ａで出力されており、そのため音声信号の周波数帯域ではハイインピーダンスで高周波信号の周波数帯域ではローインピーダンスとなるコンデンサ１１５を介して伝送ライン１１３Ａ，１１３Ｂ間は接続されており、ピンジャックコネクタ１１０を構成するジャック１１０Ｂに上記伝送ライン１１３Ａ，１１３Ｂとグランドライン１１６は、接続されている。
【００２２】
上記イヤホンアンテナ５０は、上記イヤホンケーブル８１，８２と上記同軸ケーブル６０とでスリーブアンテナを構成しており、上記同軸ケーブル６０の一端に設けられたプラグ１１０Ａが上記無線機本体１２０側のジャック１１０Ｂに挿入されることにより上記無線機本体１２０に接続される。
【００２３】
また、ここでのコンデンサは、基本的には、低周波的に分離され、高周波的に結合していていれば、よくパターンや機能的に同様な動作をするものである。なお、必ずしもチップコンデンサに限定されるものでなく、線間容量で代用することも可能である。
【００２４】
このように２本の信号線６１Ａ，６１Ｂを中心導体６１として備える同軸ケーブル６０を用いてイヤホンアンテナ５０を構成したので、細い線材でステレオのイヤホンアンテナを形成し、軽量化、利便性の向上を図ることができる。また、上記イヤホンアンテナ５０は、柔軟性を確保しリールで巻き取ることも可能となる。
【００２５】
なお、上記同軸ケーブル６０の中心導体６１は、３本以上の被覆線にて構成することもでき、多芯構造の中心導体６１を備える同軸ケーブル６０にてイヤホンアンテナ５０を構成することにより、上記接続ブロック上にマイクロホンやその増幅器を搭載するなどの多機能を図ることも可能であり、通信携帯端末に好適なイヤホンアンテナとなる。
【図面の簡単な説明】
【００２６】
【図１】本発明を適用した液晶テレビジョン受像機の構成を示す図である。
【図２】上記受像器本体の構成を示すブロック図である。
【図３】上記イヤホンアンテナを構成する同軸ケーブルの構造を示す図である。
【図４】上記イヤホンアンテナを構成する同軸ケーブルの各種構造を示す図である。
【図５】上記イヤホンアンテナの電気的な構成を示す回路構成図である。
【符号の説明】
【００２７】
１２，２５  コンデンサ、２４  高周波チョーク、５０  イヤホンアンテナ、６０  同軸ケーブル、６１  中心導体、６１Ａ，６１Ｂ  信号線、６２  絶縁体、６３  シールド線、６１Ａ１，６１Ｂ１  単線の被覆線、６１Ａ２，６１Ｂ２  撚線の被覆線、６１Ａ３，６１Ｂ３  ツイストペア線、６１Ａ４，６１Ｂ４  リッツ線、７０  接続ブロック、８０Ｌ，８０Ｒ  ステレオイヤホン、８１，８２  イヤホンケーブル、８１Ａ，８１Ｂ，８２Ａ，８２Ｂ，８３  信号線８３、１００  液晶テレビジョン受像機、１１０  ピンジャックコネクタ、１１０Ａ  プラグ、１１０Ｂ  ジャック、１１１Ａ，１１１Ｂ  音声信号の出力ライン、１１２Ａ，１１２Ｂ  高周波チョーク、１１３Ａ，１１３Ｂ  伝送ライン、１１４，１１５  コンデンサ、１１６  グランドライン、１２０  受像器本体、１２１  チューナ部、１２２  中間周波信号処理部、１２３  映像信号処理部、１２４  液晶表示部
【図１】
2006108942.tif 000003
【図２】
2006108942.tif 000004
【図３】
2006108942.tif 000005
【図４】
2006108942.tif 000006
【図５】
2006108942.tif 000007